(57)【要約】      （修正有）【課題】回転蓋の回転が安定してスムーズとなる紐の固定具を提供する。【解決手段】紐固定具は、本体と、枢軸と、嵌入体と、紐盤と、回転蓋とからなる。本体は、上部に内設部を備え、中間に貫通孔を備える軸体を設ける。枢軸は、軸体の貫通孔で作動する。嵌入体は、環状片体をなし、上部には複数の嵌合歯を設け、下部には複数の弾性片を連接し、内設部内に固定する。紐盤は、上部には複数の回転歯車を設け、本体の軸体に嵌設、紐を連結する。回転蓋は、中心を枢軸上部に固定し、底部の内側環状箇所には複数の内歯車を、外側環状箇所には複数の外歯車を形成し、内歯車は回転歯車と、外歯車は嵌合歯と相互に噛合する。環状片体と弾性片の連結により嵌合力が上下垂直式の均等な弾性を形成し嵌合歯に伝えられて嵌合する。【選択図】図２
0003159620.tif 000002
【実用新案登録請求の範囲】
【請求項１】
上部に内設部を備え、内設部の中間には貫通孔を備える軸体を設ける本体と、
軸体の貫通孔に作動して固定する枢軸と、
環状片体をなし、上部には複数の嵌合歯を設け、下部には複数の弾性片を連接し、内設部内に固定する嵌入体と、
中間には軸孔を備える歯車軸を設け、上部には複数の回転歯車を設け、本体の軸体に嵌設、紐を連結する紐盤と、
中心を枢軸上部に固定し、底部の内側環状箇所には複数の内歯車を形成し、内歯車と紐盤の回転歯車は噛合し、底部の外側環状箇所には複数の外歯車を形成し、外歯車と嵌入体の嵌合歯は噛合する回転蓋とにより構成されることを特徴とする紐固定具。
【請求項２】
前記嵌入体は、更に複数の固定体を設け、前記固定体は嵌入体の周囲に設置することを特徴とする請求項１記載の紐固定具。
【請求項３】
本体の内設部は更に複数の固定溝を備え、前記固定溝は内設部の周囲に設置して嵌入体の固定体を配置することを特徴とする請求項２記載の紐固定具。
【請求項４】
前記回転蓋は更に蓋片を備え、前記蓋片は回転蓋の上部に被冠することを特徴とする請求項１記載の紐固定具。
【請求項５】
前記紐盤は更に複数の固定孔を備え、前記固定孔は紐盤に設置することを特徴とする請求項１記載の紐固定具。
【請求項６】
前記枢軸は、更に軸柱と第一環状溝と第二環状溝とを備え、前記軸柱は枢軸上部に設置し、第一環状溝は軸柱の下部に設置し、第二環状溝は第一環状溝の下部に設置することを特徴とする請求項１記載の紐固定具。
【請求項７】
前記枢軸は、定位孔と停止制限部を備え、前記定位孔は前記軸柱内に設置し、前記停止制限部は枢軸の下部に設置することを特徴とする請求項６記載の紐固定具。
【請求項８】
前記本体の軸体は更に複数のスリットと複数のスリット片と複数の突出体と押止部とを備え、前記スリットと前記スリット片は軸体上に設置し、突出体はスリット片の内側エッジに設置し、前記第一環状溝と前記第二環状溝を嵌合し、前記押止部は軸体の貫通孔内に設置して枢軸の停止制限部を圧止することを特徴とする請求項７記載の紐固定具。
【請求項９】
前記軸体は更に嵌合体を備え、前記嵌合体は軸体のスリット片の外側エッジに設置することを特徴とする請求項８記載の紐固定具。
【請求項１０】
前記回転蓋は更に結合孔と結合部品を備え、前記結合孔は回転蓋の中央に設置して結合部品を嵌設し、前記結合部品の下部は枢軸の定位孔内に配置し固定することを特徴とする請求項７記載の紐固定具。
【考案の詳細な説明】
【技術分野】
【０００１】
本考案は紐固定具に関し、特に紐を安定的に巻き取り定位させる紐固定具に係る。
【背景技術】
【０００２】
公知の紐固定具の構造は、図１０乃至図１２に示す通りであり、底台６１、制御棒部６２、紐盤６３、環状体６４、蓋６５、紐６６により構成される。前記底台６１には物体上に結合させる為の結合部６１１を設け、固定部品６１２は底台６１と蓋６５下方の回転軸６５３に嵌設して固定し、蓋６５を回転して紐盤６３に紐６６を収納する時、蓋６５の内歯車６５１と紐盤６３の回転歯車６３１を相互に噛合させ、蓋６５の外歯車６５２と圧力をかけるバネ６２２を備える制御棒部６２の上部エッジの圧止面６２１とは相互に噛合する。それに対し、紐６６を緩めたい場合は、蓋６５を上方向に引っ張って、蓋６５の内歯車６５１と紐盤６３の回転歯車６３１を分離し、蓋６５の外歯車６５２と制御棒部６２の圧止面６２１をも分離し、更に紐６６を引っ張り出すと、紐６６と物体を緩ませる効果を達成する。
【０００３】
図１３と図１４に示す通り、別の公知の紐固定具は、底台７１、紐盤７２、蓋７３、弾性体７４、ボルト７５により構成される。蓋７３を回して紐を紐盤７２内に収納する時、蓋７３の内歯車７３１と紐盤７２の回転歯車７２１は噛合し、蓋７３爪アーム７３２の爪７３３と底台７１の外歯車７１１も噛合する。それに対し、紐を緩めたい場合は、蓋７３を上方向に引っ張ると蓋７３の内歯車７３１と紐盤７２の回転歯車７２１は分離し、同時に蓋７３の爪７３３と底台７１の外歯車７１１が分離すると、即刻、紐を引っ張り出すことが可能となり緩める効果を達成する。
【考案の概要】
【考案が解決しようとする課題】
【０００４】
しかし、本考案者は、前者の公知紐固定具における次のような欠点を発見している。各制御棒部の圧止面はそれぞれ蓋の内歯車の力を受けて嵌合しており、更に環状体が圧している為、各制御棒部下方のバネは力を受ける弾性が不均衡となる為、各制御棒部の圧止面と蓋の内歯車の嵌合力も不均衡となる。よって、蓋の回転動作のスムーズ性に影響を及ぼし、しかも制御棒部の構成要素が多く、制御棒部を装着する場合、下方をバネに貫通させ底台の挿入溝内に配置する故、組立作業が不便である。また、固定部品は底台内部下方に固着し、しかも結合部品は既に物体と結合する為、紐固定具構造内部にメンテナンスが必要である場合、蓋と固定部品を直接分離できずメンテナンス上での不便を招く。
【０００５】
後者の公知の紐固定具は、蓋の弾性爪アームの爪と底台の外歯車を相互に噛合した場合、爪アームの一端は連結された固定端であり、他端は外歯車に力を受ける爪である。蓋を回転した時の力は爪からアーム体を経て固定点に伝えられ、嵌合力は側面方向に伝えられ、上下垂直伝達方式ではない。各弾性爪アームはそれぞれ側面方向に力を受ける故、全体が垂直の力を受けるのではなく、この為、蓋と底台を嵌合した場合の弾性不均衡を起こし易く、蓋の回転動作のスムーズ性に影響を及ぼす。よって、公知技術の欠点に鑑み、本考案ではこの問題を実際に解決する。
【課題を解決するための手段】
【０００６】
本考案者は前述に対し、長期的に紐固定具のあらゆる点からの研究を究め、紐固定具を考案した。それは、本体の上部に内設部を備え、中間には貫通孔を備える軸体を設け、枢軸は軸体の貫通孔に作動して固定する。嵌入体は環状片体であり、上部には複数の嵌合歯を設け、下部には複数の弾性片を連接し、嵌入体は内設部内に固定する。紐盤の中間には軸孔を備える歯車軸を設け、上部には回転歯車を設け、本体の軸体に嵌設し、紐盤には紐を連結する。回転蓋の中心を枢軸上部に固定し、回転蓋底部の内側には複数の内歯車を環状形成し、内歯車と紐盤の回転歯車は噛合し、回転蓋の底部の外側には複数の外歯車を環状形成し、外歯車と嵌入体の嵌合歯は噛合する。嵌入体の環状片体と弾性片の連結により嵌合力が上下垂直式の均等な弾性となり上部の嵌合歯に伝えられて嵌合し、回転蓋の回転が更に安定してスムーズになる。
【考案の効果】
【０００７】
前述の説明から分かるように、本考案と公知技術を比較すると、嵌入体の上部に設ける嵌合歯と回転蓋の外歯車が噛合し、環状片体の下部には弾性片を連結する為、嵌合力によって上下垂直式の均等な弾性を形成して上部の嵌合歯に伝わり嵌合し、回転蓋の回転は更に安定しスムーズとなり、しかも前記嵌入体の構成要素は簡易で、組立が簡単であり、紐固定具内部にメンテナンスを必要とする場合は、結合部品と枢軸の定位孔を分離させて蓋を取り外すだけで全体のメンテナンスが便利にできる。
【図面の簡単な説明】
【０００８】
【図１】本考案の外観立体図である。
【図２】本考案の立体分解図である。
【図３】本考案の上面図である。
【図４】本考案の組立断面図である。
【図５】本考案の外歯車と嵌合歯の結合断面図である。
【図６】本考案の回転蓋を上方向に引っ張った時の断面図である。
【図７】本考案の外歯車と嵌合歯が分離した時の断面図である。
【図８】本考案のもう一つの軸体の分解図である。
【図９】本考案のもう一つの軸体の組立図である。
【図１０】公知の紐固定具に関する立体分解図である。
【図１１】公知の紐固定具に関するＡ−Ａ断面図である。
【図１２】公知の紐固定具に関するＢ−Ｂ断面図である。
【図１３】もう一つの公知の紐固定具に関する立体分解図である。
【図１４】もう一つの公知の蓋に関する立体図である。
【考案を実施するための形態】
【０００９】
図1、図２、図４に示す通り、本考案は紐固定具は、次の構成要素を含む。
【００１０】
本体１は、結合部１１を備え、本体の上部に内設部１２を備え、前記内設部１２の中間には軸体１３を設け、軸体１３の中心には貫通孔１４を設け、前記内設部１２の周囲には複数の固定溝１５を繞設し、軸体１３の上部には複数のスリット１３１とスリット片１３２を設け、且つ前記スリット片１３２の内側縁の上部には突出体１３３を設け、並びに、軸体１３の貫通孔１４内部には階段状の押止部１３４を設ける。また、前記本体１の一方には内設部１２に貫通可能で紐４５を通す為の二つの紐孔１６を設ける。
【００１１】
枢軸２は、軸体１３の貫通孔１４内で作動し、それは、軸柱２１と、軸柱２１の上部に設ける定位孔２２と、下部に設ける第一環状溝２３と第二環状溝２４とを備え、前記第一環状溝２３、第二環状溝２４は、軸体１３の突出体１３３に嵌合し、枢軸２下部に設ける停止制限部２５は、軸体１３の押止部１３４に嵌合圧止される。
【００１２】
嵌入体３は、環状片体であり、上部には複数の嵌合歯３１を設け、並びに、環状片体の周囲エッジには複数の固定体３２を設け、また、下部には環状片体を支える弾性片３３を連結し、内設部１２内に嵌入し、前記固定体３２によって固定溝１５に嵌合固定する。
【００１３】
紐盤４は、中間に軸孔４２を備える歯車軸４１を設け、上部には回転歯車４３を設けて、本体１の軸体１３上に嵌設、また、紐盤４の盤面上に設ける複数の固定孔４４には紐４５を通して連結する。
【００１４】
回転蓋５は、上部に被冠する蓋片５１を備え、前記回転蓋５中心には結合孔５２を設け、結合部品５３を結合孔５２に貫通して枢軸２の定位孔２２内に定位させ、回転蓋５底部内には複数の内歯車５４を環状に形成し、内歯車５４は紐盤４の回転歯車４３と噛合し、回転蓋５の底部の外側には複数の外歯車５５を環状形成し、外歯車５５と嵌入体３の嵌合歯３１は噛合する。
【００１５】
図１、図２、図４に示す通り、紐固定具を組み立てて実施する場合、前記枢軸２は下から上に軸体１３の貫通孔１４内に貫通し作動し、軸体１３の突出体１３３は枢軸２の第一環状溝２３に嵌合する。また、本体１の結合部１１は物体上に結合し（未図示）、紐４５を前記物体上の収納したい場所に通し、並びに、対応する本体１の二つの紐孔１６を密閉する。紐盤４の軸孔４２を本体１の軸体１３に嵌設し、並びに、紐４５を紐盤４の固定孔４４に固定し、嵌入体３を内設部１２内に配置し、嵌入体３の固定体３２を固定溝１５で固定し、回転蓋５を内設部１２に被冠し、回転蓋５の結合孔５２と枢軸２の軸柱２１は相互に嵌合定位し、結合部品５３を回転蓋５の結合孔５２に貫通してそれを枢軸２の定位孔２２内に定位し、回転蓋５底部の内歯車５４は紐盤４の回転歯車４３と噛合し、回転蓋５底部の外歯車５５は嵌入体３の嵌合歯３１と噛合し、続いて蓋片５１を回転蓋５の上部に被冠する。
【００１６】
図４及び図５に最良の実施例を示す。紐固定具を使用して紐４５を回転収納する時、回転蓋５を回転すると、回転蓋５内の内歯車５４と外歯車５５は同時に回転し、内歯車５４と紐盤４の回転歯車４３が相互に噛合する為、紐盤４も同時に回転し、紐４５が紐盤４の歯車軸４１上に巻き付いて収納され、同時に外歯車５５と嵌入体３の嵌合歯３１もまた噛合嵌合する為、紐盤４は単一方向の回転しかできず、紐盤４が逆転して抜け落ちるのを防ぐ効果を発揮し、紐４５を回転して収納する効果を達成する。回転蓋５が動作する時、嵌入体３の下部に連結した弾性片３３が内設部１２を圧し、更に、上下垂直式の均等な弾性を上部の嵌合歯３１に伝えると、嵌合歯３１は回転蓋５の外歯車５５と相互に嵌合する為、回転蓋５の回転が更に安定してスムーズになる。図６及び図7に示す通り、紐４５を緩めて外に出す時、回転蓋５を上方向に引っ張る作業を行うだけで、枢軸２は貫通孔１４内で上方向に移動する。即ち、軸体１３の突出体１３３は枢軸２の第一環状溝２３に嵌合して第二環状溝２４まで作動し、枢軸２の停止制限部２５は丁度、軸体１３の押止部１３４を圧する。また、枢軸２を本体１内に制限する為、離脱を防止する。この時、回転蓋５の内歯車５４と紐盤４の回転歯車４３は離脱し、外歯車５５もまた嵌入体３の嵌合歯３１と離脱状態を作り、回転蓋５は空回り状態となる。紐盤４は回転蓋５の嵌合作用を受けず、使用者は紐４５を引っ張り出すことが可能となり、紐４５を緩めて外に出す効果を達成する。また、図８及び図９に示す通り、軸体１３のスリット片１３２の外側エッジに嵌合体１７を嵌合すると、スリット片１３２の側面の収納強度を高めることが可能となる。
【００１７】
前述の通り、本考案の「紐固定具」は、嵌入体の上部に設ける嵌合歯と回転蓋の外歯車が噛合し、環状片体の下部には弾性片を連結する為、嵌合力によって上下垂直式の均等な弾性を形成して上部の嵌合歯に伝えられて嵌合し、回転蓋の回転が更に安定しスムーズとなり、しかも、前記嵌入体の構成要素は簡易で、組立が簡単であり、紐固定具内部にメンテナンスを必要とする場合でも、ただ結合部品と枢軸の定位孔を分離させて蓋を取り外すだけで全体のメンテナンスが便利にできる。また、その構成構造は、書籍類には見られず公開使用もされていない故、実用新案登録の出願要件に符合するものとして、貴庁に出願を行い、即刻登録を批准して戴くことをここにお願いする。
【００１８】
また、前述の本考案の具体的な実施例は即刻運用できる技術原理であり、本考案の構想に基づいて為される変更、及びそれが生じる効果が説明書及び図面に含まれる精神を逸脱していない場合は全て本考案の出願範囲内に含まれることをここに特筆する。
【符号の説明】
【００１９】
１  本体
１１  結合部
１２  内設部
１３  軸体
１３１  スリット
１３２  スリット片
１３３  突出体
１３４  押止部
１４  貫通孔
１５  固定溝
１６  紐孔
１７  嵌合体
２  枢軸
２１  軸柱
２２  定位孔
２３  第一環状溝
２４  第二環状溝
２５  停止制限部
３  嵌入体
３１  嵌合歯
３２  固定体
３３  弾性片
４  紐盤
４１  歯車軸
４２  軸孔
４３  回転歯車
４４  固定孔
４５  紐
５  回転蓋
５１  蓋片
５２  結合孔
５３  結合部品
５４  内歯車
５５  外歯車
６１  底台
６１１  結合部
６１２  固定部品
６２  制御棒部
６２１  圧止面
６２２  バネ
６３  紐盤
６３１  回転歯車
６４  環状体
６５  蓋
６５１  内歯車
６５２  外歯車
６５３  回転軸
６６  紐
７１  底台
７１１  外歯車
７２  紐盤
７２１  回転歯車
７３  蓋
７３１  内歯車
７３２  爪アーム
７３３  爪
７４  弾性体
７５  ボルト
【図１】
0003159620.tif 000003
【図２】
0003159620.tif 000004
【図３】
0003159620.tif 000005
【図４】
0003159620.tif 000006
【図５】
0003159620.tif 000007
【図６】
0003159620.tif 000008
【図７】
0003159620.tif 000009
【図８】
0003159620.tif 000010
【図９】
0003159620.tif 000011
【図１０】
0003159620.tif 000012
【図１１】
0003159620.tif 000013
【図１２】
0003159620.tif 000014
【図１３】
0003159620.tif 000015
【図１４】
0003159620.tif 000016